(57)【要約】      （修正有） 【課題】タインに設けた孔に目詰まりが起こりにくく、また、タインを芝地に挿入する際の抵抗を軽減させ、芝地に確実なエアレーション孔を穿設することができるタインを提供する。【解決手段】エアレーターに使用される先端から内部まで空洞とした棒状のタイン１であって、側面に穿孔部の芝カスを排出する第一孔３ａが前記空洞と連通させて設けられ、先端には、先端がタインの長手方向に対して斜めに切り欠かれた筒状の先端部４を備えることを特徴とするタインと、前記タインにおいて、さらに側面に、前記第一孔と対向する位置に第二孔３ｂを前記空洞に連通させて設け、一端がエアレーターに接続される接続部２と、該接続部の他端に連設され前記第一孔と第二孔を穿設した該接続部より細い細径部３と、該細径部の他端に連接され先端に向かうに従って径が小さくなる中空の先端部とからなることを特徴とする。【選択図】図１
0003169341.tif 000002
【実用新案登録請求の範囲】
【請求項１】
エアレーターに使用される先端から内部まで空洞とした棒状のタインであって、側面に穿孔部の芝カスを排出する第一孔が前記空洞と連通させて設けられ、先端には、先端がタインの長手方向に対して斜めに切り欠かれた筒状の先端部を備えることを特徴とするタイン。
【請求項２】
請求項１に記載のタインにおいて、さらに側面に、前記第一孔と対向する位置に第二孔を前記空洞に連通させて設け、一端がエアレーターに接続される接続部と、前記接続部の他端に連設され前記第一孔と第二孔を穿設した前記接続部より細い細径部と、前記細径部の他端に連接され先端に向かうに従って径が小さくなる中空の先端部とからなることを特徴とするタイン。
【請求項３】
前記細径部を、連通する前記第一孔及び第二孔が、一方の孔長が他方の孔長よりも長く、前記内部空洞の前記接続部側が前記第一孔及び第二孔方向に斜めに傾斜した傾斜部を備えた細径部としたことを特徴とする請求項２に記載のタイン。
【考案の詳細な説明】
【技術分野】
【０００１】
本考案は、ゴルフ場やスポーツフィールド、公園緑地などの芝地等に穴開けをし空気を送り込んで芝生の育成を促すエアレーションを行うエアレーターに使用されるタインに関する。
【背景技術】
【０００２】
従来、芝生のメンテナンスでは、芝地に無数の穴を開けて空気を送り込むと共に通称コアと呼ばれる芝カスを取り除いて芝生の育成を促すエアレーションが行われていた。
【０００３】
家庭の庭などの小規模な範囲では、少数のタインを備えた手動のエアレーターを使用し、ゴルフ場やスポーツフィールド、公園緑地などの広大な芝地では、沢山のタインを備えた操縦型のエアレーターを使用していた。
【０００４】
これらのエアレーターに取り付けられるタインには片側のスリット孔のみを備えており、タイン部分を芝地に差し込んで引き上げた際にコア（芝カス）を外部へ排出する役割をしている。
【０００５】
しかしながら、従来のような片側にスリット孔を備えたタインではスリット孔内にコアが目詰まりすることが多く、そのまま使用を続けても芝地に穴を開けるだけでコア（芝カス）を取り除くことができなくなり、効果的なエアレーションを行う事ができず、芝の育成に影響がでるという問題があった。
【０００６】
また、スリット孔内にコアを目詰まりさせた状態では、タインを芝地に挿入する際の抵抗が強くなり作業がしにくいという問題があった。
【先行技術文献】
【特許文献】
【０００７】
【特許文献１】特開２０１０−１６６８５６号公報
【考案の概要】
【考案が解決しようとする課題】
【０００８】
そこで、本考案は、タインに設けた孔に目詰まりが起こりにくく、また、タインを芝地に挿入する際の抵抗を軽減させ、芝地に確実なエアレーション孔を穿設することができるタインを提供する。
【課題を解決するための手段】
【０００９】
本考案は、上記の課題を解決するために、エアレーターに使用される先端から内部まで空洞とした棒状のタインであって、側面に穿孔部の芝カスを排出する第一孔が前記空洞と連通させて設けられ、先端には、先端がタインの長手方向に対して斜めに切り欠かれた筒状の先端部４を備えることを特徴とするタインの構成とした。
【００１０】
前記タインにおいて、さらに側面に、前記第一孔と対向する位置に第二孔を前記空洞に連通させて設け、一端がエアレーターに接続される接続部２と、前記接続部２の他端に連設され前記第一孔と第二孔を穿設した前記接続部より細い細径部３と、前記細径部３の他端に連接され先端に向かうに従って径が小さくなる中空の先端部４とからなることを特徴とするタインの構成とした。
【００１１】
前記細径部３を、連通する前記第一孔及び第二孔が、一方の孔長が他方の孔長よりも長く、前記内部空洞の前記接続部側が前記第一孔及び第二孔方向に斜めに傾斜した傾斜部を備えた細径部としたことを特徴とするタインの構成とした。
【考案の効果】
【００１２】
本考案は上記のような構成であるため、タインの孔にコアと呼ばれる芝カスの目詰まりが起こりにくく、芝地にコアを取り除いたエアレーション孔を穿設する事ができる。
【００１３】
また、タインの孔の目詰まりが起こりにくいことに加えて上記のような形状としたため芝地への挿入抵抗を大幅に軽減させることができる。
【図面の簡単な説明】
【００１４】
【図１】本考案であるタインの正面図及び背面図である。
【図２】本考案であるタインの平面図及び底面図である。
【図３】本考案であるタインの左右側面図である。
【図４】本考案であるタインの先端部拡大図である。
【図５】本考案であるタインのａ−ａ線断面図及びｂ−ｂ線断面図である。
【考案を実施するための形態】
【００１５】
以下、添付の図面を参照し、本考案の実施の形態について詳細に説明する。
【実施例１】
【００１６】
図１は本考案であるタインの正面図及び背面図、図２はタインの平面図及び底面図、図３はタインの左右側面図、図４はタインの先端部拡大図、図５はタインのａ−ａ線断面図及びｂ−ｂ線断面図である。
【００１７】
本考案であるタインは、エアレーターに使用される先端から内部まで空洞とした棒状のタインであって、側面に穿孔部の芝カスを排出する第一孔３ａが前記空洞と連通させて設けられ、先端には、先端がタインの長手方向に対して斜めに切り欠かれた筒状の先端部４を備えることを特徴とする。
【００１８】
前記タインは、さらに側面に、前記第一孔３ａと対向する位置に第二孔３ｂを前記空洞に連通させて設け、一端がエアレーターに接続される接続部２と、前記接続部２の他端に連設され前記第一孔３ａと第二孔３ｂを穿設した前記接続部２より細い細径部３と、前記細径部３の他端に連接され先端に向かうに従って径が小さくなる中空の先端部４とからなる。
【００１９】
前記タイン１において、前記接続部２は、エアレーターに接続される部分であり、添付図面では前記接続部２の径を最も大きくしたが、特に限定したものではなく、前記先端部４と同径である場合や、前記先端部４の径の方が大きい場合もある。
【００２０】
前記接続部２の端部（細径部３とは反対側の端部）は、平坦部２ａを形成しており、先端に向かってテーパー状になっており、径が徐々に小さくなっている。但し、前記平坦部２ａの周面をテーパー状にすることは必須ではなく、テーパー状としなくても構わない。
【００２１】
前記細径部３は、前記接続部２及び先端部４よりも径が小さく、更に周面に２つの大きな長孔を対向した状態で穿設している。また、前記長孔（第一孔３ａ、第二孔３ｂ）同士は細径部３内で連通しており前記細径部３には空洞が設けられている。
【００２２】
また、連通する前記第一孔３ａ及び第二孔３ｂは、一方の孔長が他方の孔長よりも長く、前記内部空洞の前記接続部側が前記第一孔３ａ及び第二孔３ｂ方向に斜めに傾斜した傾斜部３ｃとなっている。
【００２３】
添付図面では、前記第二孔３ｂの孔長を細径部３の全長ｄのうち距離ｆを差し引いた長さとして第一孔３ａの孔長よりも短くし、第一孔３ａの端部と第二孔３ｂの端部を結ぶ傾斜部３ｃを角ｉとしたが、特に限定したものではなく、反対に第一孔３ａの孔長を第二孔３ｂの孔長よりも短くしても構わない。
【００２４】
前記細径部３の端部（接続部２が連接される端部と反対側の端部）には、先端部４が連接されており、前記先端部４は先端に向かうに従って径が小さくなり、内部が中空４ａの形状をしている。
【００２５】
前述の通り、前記先端部４の径は、細径部３の径より大きく、接続部２の径に対しては、接続部２の径よりも径が小さい場合、接続部２の径と同径の場合、接続部２の径よりも径が大きい場合がある。
【００２６】
図４に示すように、前記先端部４は全長ｌの内、３分の２程度は径ｒから径ｎとなるように徐々に径が小さくなっており、先端部４の全長ｌの内、残りの３分の１程度（ｋ）は径が急速に小さくなる最先端部４ｃを形成している。
【００２７】
更に前記最先端部４ｃは、先端から距離ｍ分だけ細径部３側に戻った位置から対向する先端に向かって斜めに切りおとされた斜切部４ｂを形成している。尚、図４上では、前記距離ｍは、最先端部４の全長ｋの半分程度であるが、特に限定したものではない。
【００２８】
また、前述の通り、前記先端部４は中空４ａを形成しているが、前記中空４ａの径についても細径部３側の内径ｓから最先端部４ｃの先端の内径ｑとなるように徐々に径が小さくなっており、最先端部４ｃの先端は開口部４ｄを形成している。
【００２９】
上記のように、先端部４を徐々に径が小さくなるテーパー状とし、更に先端に斜切部４ｂを形成した最先端部４ｃを設けることにより、タイン１が芝地に挿入される際の挿入抵抗を軽減することができる。
【００３０】
また、第一孔３ａと第二孔３ｂの孔長を変えて連通させ内部に傾斜部３ｃを設けることにより、細径部３の空洞部分に溜まるコアが、タイン１を芝地から抜き出すと同時に細径部３の空洞部分から容易に排出され、細径部３の空洞を目詰まりさせることなくエアレーション作業を行うことができる。
【産業上の利用可能性】
【００３１】
本考案であるタインは、コアの目詰まりが起こりにくく、確実にコアを除去できると共にタインの芝地への挿入抵抗を軽減させたため、より効果的に芝地のメンテナンスを行う事ができ、芝を使用するあらゆる領域にに多大な貢献をもたらす。
【符号の説明】
【００３２】
１      タイン
２      接続部
２ａ    平坦部
３      細径部
３ａ    第一孔
３ｂ    第二孔
３ｃ    傾斜部
４      先端部
４ａ    中空
４ｂ    斜切部
４ｃ    最先端部
４ｄ    開口部
【図１】
0003169341.tif 000003
【図２】
0003169341.tif 000004
【図３】
0003169341.tif 000005
【図４】
0003169341.tif 000006
【図５】
0003169341.tif 000007